(57)【要約】【課題】仕切本体がずれないように確実に固定された状態で車両の車室内を仕切ることができる座席用仕切具を提供する。【解決手段】座席用仕切具１が、可撓性材料によって形成される側方仕切本体２と、一端14が前記側方仕切本体２の第１取付位置10に固定され、他端15が前方の第１車両内装部材の第２取付位置12に固定される第１固定手段13と、一端24が前記側方仕切本体２の第３取付位置20に固定され、他端25が後方の第２車両内装部材の第４取付位置22に固定される第２固定手段23とを備え、前記第１取付位置10は、前記第２取付位置12よりも下方かつ車両後方に位置し、前記第３取付位置20は、前記第４取付位置22よりも下方かつ車両前方に位置し、前記第１および第２固定手段13，23は緊張状態で固定される構成としたので、大型犬等の突進等に対しても、座席間に設けた側方仕切本体２が車両前後左右方向にずれることを抑制することができる。【選択図】図１
2018150000.tif 000002
【特許請求の範囲】
【請求項１】
可撓性材料によって形成される側方仕切本体と、
一端が前記側方仕切本体の第１取付位置に固定され、他端が前方の第１車両内装部材の第２取付位置に固定される第１固定手段と、
一端が前記側方仕切本体の第３取付位置に固定され、他端が後方の第２車両内装部材の第４取付位置に固定される第２固定手段とを備え、
前記第１取付位置は、前記第２取付位置よりも下方かつ車両後方に位置し、
前記第３取付位置は、前記第４取付位置よりも下方かつ車両前方に位置し、
前記第１および第２固定手段は緊張状態で固定されることを特徴とする座席用仕切具。
【請求項２】
前記第１および第２固定手段が、長さを調節可能な固定部材を備え、前記固定部材は長さを調節して緊張状態に固定されることを特徴とする請求項１に記載の座席用仕切具。
【請求項３】
前記第１車両内装部材が前方の第１座席のヘッドレストであり、前記第２車両内装部材が後方の第２座席のヘッドレストであることを特徴とする請求項１または２に記載の座席用仕切具。
【請求項４】
前方の第１座席と当該第１座席に隣接する第３座席との間の隙間を塞ぐ前方仕切本体と、
前記前方仕切本体と前記側方仕切本体とを取付ける取付手段と、
一端が前記前方仕切本体の第５取付位置に固定され、他端が第３車両内装部材の第６取付位置に固定される第３固定手段とをさらに備え、
前記第５取付位置は、前記第６取付位置よりも下方かつ前記取付手段に近い位置であり、
前記第３固定手段は緊張状態で固定されることを特徴とする請求項１〜３のいずれか１項に記載の座席用仕切具。
【請求項５】
前記第３固定手段が、長さを調節可能な固定部材を備え、前記固定部材は長さを調節して緊張状態に固定されることを特徴とする請求項４に記載の座席用仕切具。
【請求項６】
前記第３車両内装部材が前記第３座席のヘッドレストであることを特徴とする請求項４または５に記載の座席用仕切具。
【請求項７】
前記側方仕切本体の上縁に設けた棒状の保形部材を備えることを特徴とする請求項１〜６のいずれか１項に記載の座席用仕切具。
【請求項８】
一端が前記側方仕切本体に固定され、他端が車両床部に固定される第４固定手段を備えることを特徴とする請求項１〜７のいずれか１項に記載の座席用仕切具。
【発明の詳細な説明】
【技術分野】
【０００１】
本発明は、車両の車室内を仕切る座席用仕切具に関する。
【背景技術】
【０００２】
従来、ネット体の両端に取付けられたフックをそれぞれ、車両のラゲージサイドに形成された掛着環に掛けて、ネット体の上部を固定した、荷室における積荷領域の仕切具が知られている（例えば特許文献１）。
【０００３】
車両に犬や猫等のペットを乗せる際には、座席を仕切って、ペットあるいは幼児を収容する収容区画を区画するペット移動防止柵が提案されている（例えば特許文献２）。特許文献２では、網状体で構成される柵が、後方座席のアームレスト内に一端側から巻き取れるように収容され、使用時には柵を引き出して、前側座席のシートバックの裏面側にフックを介して取り外し可能に掛止する構成となっている。
【０００４】
車両の荷室の後方部分を左右方向に仕切ることを目的として、横長矩形状に形成された主仕切部に対し、略台形状に形成された副仕切部を主仕切部の長手方向の中心を挟んで左右に複数突設させるパーテーションが提案されている（例えば特許文献３）。
【０００５】
一方、従来、後部座席上または後部座席から荷室にかけて、例えばマットを敷いて構成される犬や猫等のペット囲い装置が提案されている。当該ペット囲い装置によれば、車両等の狭い車内空間内でも、ペットがマット上を動き回ることができるので、閉塞感や窮屈感を感じることなく、車両等での移動においてペットにかかるストレスを低減することができる。
【先行技術文献】
【特許文献】
【０００６】
【特許文献１】特開２００２−１６６７８１号公報
【特許文献２】特開２０００−２５５３０号公報
【特許文献３】特許第４４４７６２９号公報
【発明の概要】
【発明が解決しようとする課題】
【０００７】
しかし、ペットが、マットを敷いた後部座席に隣接する、マットを敷いていない座席に乗り移るおそれがある。また、当該座席に人が座った際には、ペットが人に飛び掛かってきたりするおそれがある。このような場合、両座席の間に、特許文献１のように平面構造体からなる仕切具を設けることが考えられる。しかしながら、座席間の場合、積荷領域の場合のラゲージサイドのように、特に仕切具の上部を仕切具がずれないように確実に繋ぎ止めることが容易でない問題がある。
【０００８】
特許文献２のペット移動防止柵は、座席間を仕切ることができるものの、アームレストに柵を収容する必要があるため、設置に手間とコストが掛かり、特に、例えば柵を後付する場合等には取付が不便である。また、柵を引き出した場合に、柵の上部を張引する手段がないため、柵の上縁が弛んでしまうおそれがある。
【０００９】
特許文献３のパーテーションの副仕切部は、長辺を主仕切部の表面に縫着して固定されているので、不使用時等に、取外すことができない。
【００１０】
そこで、本発明は上記した問題点に鑑み、仕切本体がずれないように確実に固定された状態で車両の車室内を仕切ることができる座席用仕切具を提供することを目的とする。
【課題を解決するための手段】
【００１１】
本発明は、かかる課題を解決するため、座席用仕切具が、可撓性材料で形成される側方仕切本体と、一端が前記側方仕切本体の第１取付位置に固定され、他端が前方の第１車両内装部材の第２取付位置に固定される第１固定手段と、一端が前記側方仕切本体の第３取付位置に固定され、他端が後方の第２車両内装部材の第４取付位置に固定される第２固定手段とを備え、前記第１取付位置は、前記第２取付位置よりも下方かつ車両後方に位置し、前記第３取付位置は、前記第４取付位置よりも下方かつ車両前方に位置し、前記第１固定手段および前記第２固定手段は緊張状態で固定されるものとする。
【００１２】
本発明に係る座席用仕切具は、前記第１および第２固定手段が、長さを調節可能な固定部材を備え、前記固定部材は長さを調節して緊張状態に固定されることができる。
【００１３】
本発明に係る座席用仕切具は、前記第１車両内装部材が前方の第１座席のヘッドレストであり、前記第２車両内装部材が後方の第２座席のヘッドレストとすることができる。        
【００１４】
本発明に係る座席用仕切具は、前方の第１座席と当該第１座席に隣接する第３座席との間の隙間を塞ぐ前方仕切本体と、前記前方仕切本体と前記側方仕切本体とを取付ける取付手段と、一端が前記前方仕切本体の第５取付位置に固定され、他端が第３車両内装部材の第６取付位置に固定される第３固定手段とを備え、前記第５取付位置は、前記第６取付位置よりも下方かつ前記取付手段に近い位置であり、前記第３固定手段は緊張状態で固定されることができる。
【００１５】
本発明に係る座席用仕切具は、前記第３固定手段が、長さを調節可能な固定部材を備え、前記固定部材は長さを調節して緊張状態に固定されることができる。
【００１６】
本発明に係る座席用仕切具は、前記第３車両内装部材が前記第３座席のヘッドレストとすることができる。
【００１７】
本発明に係る座席用仕切具は、前記側方仕切本体の上縁に設けた棒状の保形部材を備えることができる。
【００１８】
本発明に係る座席用仕切具は、一端が前記側方仕切本体に固定され、他端が車両床部に固定される第４固定手段を備えることができる。
【発明の効果】
【００１９】
本発明は、大型犬等の突進等に対しても、座席間に設けた仕切本体が車両前後左右方向にずれることを抑制することができる座席用仕切具を提供する。
【図面の簡単な説明】
【００２０】
【図１】本発明の実施形態に係る座席用仕切具の側方仕切本体の全体図である。
【図２】同上、車両の後方から見た座席用仕切具の使用例を示す説明図である。
【図３】同上、側方仕切本体の使用状態を示す説明図である。
【図４】同上、第１および第３取付位置の説明図である。
【図５】同上、側方仕切本体の第１座席への取付状態を示す拡大図である。
【図６】同上、側方仕切本体の第２座席への取付状態を示す拡大図である。
【図７】同上、固定部材のバックルの平面図である。
【図８】同上、側方仕切本体および前方仕切本体の車両床部への取付状態を示す拡大図である。
【図９】同上、側方仕切本体の上縁の袋部の説明図である。
【図１０】同上、前方仕切本体の全体図である。
【図１１】同上、前方仕切本体の使用状態を示す説明図である。
【図１２】同上、第５取付位置の説明図である。
【発明を実施するための形態】
【００２１】
以下、図面を参照して、本発明の座席用仕切具の実施形態について説明する。
【００２２】
本明細書では、「前方」および「後方」は、それぞれ図１および図３に示す車両の前進方向Ｆおよび後進方向Ｂを示すものである。当該前進方向Ｆおよび後進方向Ｂに直交する図２に示す方向Ｌ，Ｒが「左右方向」および「側方」である。
【００２３】
図１に示すように、本実施形態に係る座席用仕切具１は、平面部７を有する側方仕切本体２を備える。
【００２４】
本実施形態に係る座席用仕切具１は、例えば図２に示すように、車両100の後部座席から荷室にかけてマット101を敷く等して犬や猫等のペットの乗車場所を設けた場合に、ペットがマット101を敷いていない座席や、人が座っている座席に進入できないように、座席間を仕切るものである。尚、座席が通常の状態で配置される場合にも、本実施形態に係る座席用仕切具１は使用可能である。
【００２５】
そこで、座席用仕切具１は、図３に示すように、一端14が側方仕切本体２の第１取付位置10に固定され、他端15が前方の第１車両内装部材の第２取付位置12に固定される第１固定手段13と、一端24が側方仕切本体２の第３取付位置20に固定され、他端25が後方の第２車両内装部材の第４取付位置22に固定される第２固定手段23とを備える。側方仕切本体２の第１取付位置10は、第１車両内装部材の第２取付位置12よりも下方かつ車両後方に位置し、側方仕切本体２の第３取付位置20は、第２車両内装部材の第４取付位置22よりも下方かつ車両前方に位置する。第１および第２固定手段13，23は緊張状態で固定される。
【００２６】
図４を参照して、第１および第３取付位置10，20の前後方向および上下方向の位置について説明する。第１取付位置10の前後方向の位置は、上記のように第２取付位置12よりも後方であればよく、例えば、側方仕切本体２の上縁６の前端の位置ａ１から上縁６の全長の１／１５の位置ａ２〜１／２の位置ｃ１までの範囲内、または、１／８の位置ａ３〜１／３の位置ａ４の範囲内とすることができる。第３取付位置20の前後方向の位置は、上記のよう第４取付位置22よりも前方であればよく、例えば、側方仕切本体２の上縁６の後端の位置ｂ１から上縁６の全長の１／１５の位置ｂ２〜１／２の位置ｃ１までの範囲内、または、１／８の位置ｂ３〜１／３の位置ｂ４の範囲内とすることができる。第１および第２取付位置10，20の上下方向の位置は、側方仕切本体２の上縁６の位置が、第２および第４取付位置12，22よりも下方であれば、側方仕切本体２の適切な任意の位置とすることができる。
【００２７】
以上のように構成することで、第１および第２固定手段13，23が側面視で前後の斜め上方向Ｓ１，Ｓ２にそれぞれ延在し、緊張状態に張引されて固定されることで、大型犬等の突進等に対しても、座席間に設けた側方仕切本体２が車両前後左右方向にずれることを抑制することができる。
【００２８】
車内には、前方の左右いずれかに配置される第１座席60と、その後方に配置される第２座席70が設けられる。第１および第２座席60，70の各シートバック61，71の上部には、それぞれヘッドレスト62，72が装着されている。当該ヘッドレスト62，72には、ステー63，73が一体に固定される。当該ステー63，73は、シートバック61，71の上部に着脱可能に差し込まれる。上記第１車両内装部材が前方の第１座席60のヘッドレスト62であり、上記第２車両内装部材が後方の第２座席70のヘッドレスト72とすることができる。図５は、第１固定手段13を第１座席60のヘッドレスト62のステー63に固定した様子を示す図である。図６は、第２固定手段23を第２座席70のヘッドレスト72のステー73に固定した様子を示す図である。図５に示すように、第１固定手段13の第１取付位置10は、第１座席60のシートバック61に干渉しないように設けられる。同様に、図６に示すように、第２固定手段23の第３取付位置20は、第２座席70のシートバック71に干渉しないように設けられる。
【００２９】
側方仕切本体２の平面部７は、その表面が側方を向くように配置され、第１座席60のシートバック61と第２座席70のシートバック71との間に形成される側方の空間の一部を仕切るようになっている。このように仕切ることによって、ペットが、マット101を敷いた後部座席に隣接する、マット101を敷いていない第２座席70に乗り移ることを防ぐことができる。また、当該第２座席70に人が座った際には、ペットが人に飛び掛かってきたりすることを防ぐことができる。
【００３０】
第１および第２固定手段13，23は、長さ調整具27により長さを調節可能な固定部材26を備える。固定部材26が長さが調節可能であることで、様々なタイプの車種の座席に本実施形態に係る座席用仕切具１を使用することができる。固定部材26は長さを調節して緊張状態に固定されることができる。
【００３１】
固定部材26は、帯状の第１固定部材28および第２固定部材29で構成される。当該第１および第２固定部材28，29は、例えば可撓性の材料で形成される。第１固定部材28は、一端36にリング状の輪部37を備える。当該輪部37にはステー63，73が挿入されることができる。さらに第１固定部材28の他端46には、図７に示すような例えば硬質材料で形成されるバックル64の雌部47が設けられる。第２固定部材は、一端48にバックル64の雄部49を備え、他端56が側方仕切本体２に接着剤または縫合等により固定される。第１固定手段13の第１固定部材27の輪部37は、第１車両内装部材の第２取付位置12に固定され、第１固定手段27の第２固定部材28の他端56は、側方仕切本体２の第１取付位置10に固定される。第２固定手段23の第１固定部材27の輪部37は、第２車両内装部材の第４取付位置22に固定され、第２固定手段23の第２固定部材28の他端56は、側方仕切本体２の第３取付位置20に固定される。
【００３２】
尚、第１固定部材27に長さ調節具29を設けてもよい。また、第１固定部材27にバックル64の雄部49を設け、第２固定部材28にバックル64の雌部47を設けてもよい。
【００３３】
図８に示すように、座席用仕切具１は、一端44が側方仕切本体２に固定され、他端45が車両床部42に固定される第４固定手段43を備える。第４固定手段43も、第１および第２固定手段13，23と同様に、長さ調整具29により長さを調節可能な固定部材26を備える。また、第１固定部材27と第２固定部材28とが、バックル64により着脱可能に接続される。第１固定部材27のバックル64とは反対側の他端57には、留め具58が設けられる。当該留め具58を車両床部42に設けられたリング状のフック59に取付けることで、第１固定部材27が車両床部42に固定される。留め具58を設けることにより、リング状のフック59に容易に着脱することができる。第４固定手段43は、例えば側方仕切本体２の中央下部に１つ設けてもよいし、側方仕切本体２の下部の両隅に１つずつ設けるなど複数個設けてもよい。側方仕切本体２の下縁９に、第１固定部材27の大きなずれを抑える抑え部材65を設けてもよい。尚、上記のように車両床部42にフック59を設けてもよいが、第４固定手段43の方法としては、上記方法に限られず、第１固定部材27をシート等の既存の車両内装部材に固定すれば、車両100への加工が必要ないので好ましい。
【００３４】
図９に示すように、側方仕切本体２の上縁６には、袋状の袋部66が設けられる。袋部66は、例えば布等を折り返して袋状にし、縫着部67で側方仕切本体部２の平面部７の上端を挟んで縫合することにより形成する。側方仕切本体２の袋部66内には、例えば硬質材料で形成される棒状の保形部材５が挿脱可能に挿入される。保形部材５の材質は特に限定されないが、硬質材料の例として、金属、樹脂および木等が挙げられる。保形部材５の形状も円柱や四角柱等とすることができ特に限定されず、保形部材５の太さも適当な太さに適宜設定可能である。保形部材５を側方仕切本体２の上縁６に配置することで、側方仕切本体２の上縁６が弛む等して形状が崩れるのを防ぐことができる。また、座席用仕切具１を設置した状態では、保持部材５の両端部68，69は、第１座席60のシートバック61の側部75および第２座席70のシートバック71の側部76にそれぞれ当接する。第１および第２固定手段13，23が緊張状態で固定されることで、保持部材５は、シートバック61，71の側部75，76に押し付けられる。よって、保持部材５の支持の効果と、第１および第２固定手段13，23の前後斜め上方向への張引の効果との相乗効果により、側方仕切本体２の状態がより安定に保たれる。
【００３５】
側方仕切本体２の形状に関し、図１等においては、第１および第２座席60，70のシートバック61，71をリクライニングしたときの角度を考慮し、左右の縁77，78を側面視で斜めに形成している。ただし、斜めに形成する角度は特に限定されない。また、側方仕切本体２の形状は、座席間を仕切れるものであれば、長方形や正方形、円形、楕円形等としたり、側方仕切本体２の各辺や角の一部または全部に丸みをもたせた形状としてもよい。すなわち、側方仕切本体２の形状は、機能性やデザイン性等を考慮して適宜設定可能である。側方仕切本体２の高さは、第１および第２固定手段13，23を固定する第１および第２内装部材11，21に合わせて適宜設定することができる。座席用仕切具１を設置したままリクライニングの角度を変更しても、必要に応じて固定部材26の長さを調節することで、簡便な調整で継続して座席用仕切具１を使用することができる。
【００３６】
側方仕切本体２は、ペットが側方仕切本体２に衝突しても、衝撃を緩和し、怪我することを防ぐため可撓性材料によって形成されることが好ましい。可撓性材料としては、例えば、布、樹脂シートまたはその合成材料などが挙げられる。その中でも特に、ポリエステル製のネット状生地が一例として挙げられる。
【００３７】
座席用仕切具１を使用する際には、第４固定手段43のバックル64により側方仕切本体２の下部を車両床部42に固定した後に、第１および第２固定手段13，23のバックル64により側方仕切本体２の上部を固定することで、座席用仕切具１を容易に設置することができる。ただし、第１および第２固定手段13，23により側方仕切本体２の上部を固定した後に、第４固定手段43により側方仕切本体２の下部を固定してもよい。
【００３８】
座席用仕切具１を初めてまたは改めて設置する場合には、ヘッドレスト62，72のステー63，73をシートバック61，71から抜いた後に、ステー63，73にリング状の輪部37を嵌めるようにして再度ステー63，73をシートバック61，71に差し込むことで、第１固定部材27をヘッドレスト62，72に容易に取付けることができる。その後、上記方法により、側方仕切本体２をバックル64により固定し、長さ調整具29により、第１、第２および第４固定手段13，23，43が緊張状態になるように調整する。座席用仕切具１を長期間使用しない場合等に第１固定部材27も取外すときは、ステー63，73をシートバック61，71から抜いて、ステー63，73からリング状の輪部37を抜くことで、容易に取外すことができる。
【００３９】
図１０は、前方の第１座席60と当該第１座席60に隣接する第３座席80との間の隙間を塞ぐ前方仕切本体３を示す。当該前方仕切本体３を設けることで、ペットが前方の第１および第３座席60，80に進入することを防ぐことができる。座席用仕切具１は、側方仕切本体２に加えて前方仕切本体３を備えることができ、前方仕切本体３と側方仕切本体２とを取付ける取付手段４を備える。前方仕切本体３は、側方仕切本体２の平面部７から突設するようにして取付けられる。取付手段４は例えばスライドファスナとすることができる。前方仕切本体３の側縁の一方にはファスナの片側85が設けられ、図１に示すように、側方仕切本体２の平面部７には、ファスナのもう一方の片側86が設けられる。両ファスナ85，86を合わせ、ファスナのスライダ87をスライドさせることによって、前方仕切本体３を側方仕切本体２に容易に装着することができる。前方仕切本体３の不使用時には、逆の操作により、前方仕切本体３を容易に取外すこともできる。スライドファスナ87，88で前方仕切本体３が側方仕切本体２に強固に固定されるので、前方仕切本体３が前後方向へずれることを抑制できる。側方仕切本体２側のスライドファスナ86は、前方仕切本体３を側方仕切本体２に取付ける取付手段４の位置、すなわち側方仕切本体２側のスライドファスナ86の前後方向の位置は、側方仕切本体２の第１取付位置10よりも前方に位置するようにすると、ペットの乗車する場所の空間を広くとれるので好ましい。さらに、スライドファスナ86を、第１座席60のシートバック61のリクライニング角度に合わせて、図１中、上から左斜め下方向に延びるように設けることで、前方仕切本体３がより安定して固定される。
【００４０】
前方仕切本体３は平面部８を有し、その形状は、図１１に示すように、第１座席60に隣接する第３座席80との間の隙間を塞ぐことができれば特に限定されず、例えば下辺88が上辺89よりも短い台形状とすることができる。前方仕切本体３は、側方仕切本体２について述べた上記材料で形成することができる。ただし、前方仕切本体３の材料を、側方仕切本体２の材料よりも硬質の材料とすると、前方仕切本体３がより安定して固定される。
【００４１】
前方仕切本体３の上部片隅には、第３固定手段33が設けられる。第３固定手段33の一端34は前方仕切本体３の第５取付位置30に固定され、他端35が第３車両内装部材の第６取付位置32に固定される。第５取付位置30は、第６取付位置32よりも下方かつ取付手段４に近い位置である。第３固定手段33は緊張状態で固定される。第３固定手段33はさらに、長さ調節具29により長さを調節可能な固定部材26を備え、固定部材26は長さを調節して緊張状態に固定される。第３車両内装部材が第３座席80のヘッドレスト82とすることができる。
【００４２】
図１２を参照して、第５取付位置30の前後方向および上下方向の位置について説明する。第５取付位置30の前後方向の位置は、上記のように第６取付位置32よりも取付手段４に近い位置であればよく、例えば、前方仕切本体３の上辺89の図中左端の位置ｄ１から上辺89の全長の１／１０の位置ｄ２〜１／２の位置ｃ２までの範囲内、または、１／５の位置ｄ３〜１／２の位置ｃ２の範囲内とすることができる。第５取付位置30の上下方向の位置は、前方仕切本体３の上辺89の位置が、第６取付位置32よりも下方であれば、前方仕切本体３の適切な任意の位置とすることができる。
【００４３】
第３固定手段33の固定部材26も、第１および第２固定手段13，23と同様に、第１固定部材27および第２固定部材28を備え、第１固定部材27と第２固定部材28とが、バックル64により着脱可能に接続される。第１固定部材27は、バックル64とは反対側にリング状の輪部37を有し、当該輪部37にヘッドレスト82のステー83が挿入される。第３固定手段33の第１固定部材27のステー83への取付および取外しの方法は、第１および第２固定手段13，23の場合と同様である。
【００４４】
座席用仕切具１は、一端54が前方仕切本体３に固定され、他端55が車両床部42に固定される、側方仕切本体２の第４固定手段43と同様な構成の、第５固定手段53を備える。第５固定手段53も、第４固定手段43と同様に、長さ調整具29により長さを調節可能な固定部材26を備える。また、第１固定部材27と第２固定部材28とが、バックル64により着脱可能に接続される。第１固定部材27のバックルとは反対側の他端57には、留め具58が設けられる。当該留め具58を車両床部42に設けられたリング状のフック59に取付けることで、第１固定部材27が車両床部42に固定される。留め具58を設けることにより、リング状のフック59に容易に着脱することができる。第５固定手段53は、前方仕切本体３の取付手段４とは反対側の下方隅部に設けることが好ましい。尚、上記のように車両床部42にフック59を設けてもよいが、第５固定手段53の方法としては、上記方法に限られず、第１固定部材27をシート等の既存の車両内装部材に固定すれば、車両100への加工が必要ないので好ましい。
【００４５】
以上の構成により、前方仕切本体３は、第３固定手段33が前方仕切本体３から図１０中左斜め上方向Ｓ３に延在し、緊張状態に張引されて固定され、また安定して固定された側方仕切本体２に取付手段４を用いて強固に固定されることで、側方仕切本体２の場合と同様に、大型犬等の突進等に対しても、車両前後左右方向にずれることが抑制される。
【００４６】
このように本実施形態では、座席用仕切具１が、可撓性材料で形成される側方仕切本体２と、一端14が側方仕切本体２の第１取付位置10に固定され、他端15が前方の第１車両内装部材の第２取付位置12に固定される第１固定手段13と、一端24が側方仕切本体２の第３取付位置20に固定され、他端25が後方の第２車両内装部材の第４取付位置22に固定される第２固定手段23とを備え、第１取付位置10は、第２取付位置12よりも下方かつ車両後方に位置し、第３取付位置20は、第４取付位置22よりも下方かつ車両前方に位置し、第１および第２固定手段13，23が緊張状態で固定されることにより、第１および第２固定手段13，23が、側面視で前後の斜め上方向Ｓ１，Ｓ２にそれぞれ延在し、緊張状態で固定されるので、大型犬の突進等に対しても、座席間に設けた側方仕切本体２が車両前後左右方向にずれることを抑制することができる。
【００４７】
第１および第２固定手段13，23が、長さを調節可能な固定部材26を備え、固定部材26が長さを調節して緊張状態に固定されることで、第１および第２固定手段13，23の緊張状態の調整を容易に行うことができる。
【００４８】
第１車両内装部材が前方の第１座席60のヘッドレスト62であり、第２車両内装部材が後方の第２座席70のヘッドレスト72であることで、第１および第２固定手段13，23を簡便に取付けおよび取外しすることができる。
【００４９】
座席用仕切具１が、前方の第１座席60と当該第１座席60に隣接する第３座席80との間の隙間を塞ぐ前方仕切本体３と、前方仕切本体３と側方仕切本体２とを取付ける取付手段４と、一端34が前方仕切本体３の第５取付位置30に固定され、他端35が第３車両内装部材の第６取付位置32に固定される第３固定手段33とを備え、第５取付位置30が、第６取付位置32よりも下方かつ取付手段４に近い位置であり、第３固定手段が緊張状態で固定されることで、第３固定手段33が、前方仕切本体３から図１０中左斜め上方向Ｓ３に延在し、緊張状態で固定され、また安定して固定された側方仕切本体２に取付手段４を用いて強固に固定されるので、大型犬等の突進等に対しても、前方仕切本体３が車両前後左右方向にずれることを抑制することができる。
【００５０】
第３固定手段33が、長さを調節可能な固定部材26を備え、固定部材26は長さを調節して緊張状態に固定されることで、前方仕切本体３の緊張状態の調整を容易に行うことができる。
【００５１】
第３車両内装部材が第３座席80のヘッドレスト82であることで、第３固定手段33を簡便に取付けおよび取外しすることができる。
【００５２】
座席用仕切具１が、側方仕切本体２の上縁６に設けた棒状の保形部材５を備えることで、側方仕切本体２の上縁６が弛む等して形状が崩れるのを防ぐことができる。また、保持部材５が、シートバック61，71に当接することで、側方仕切本体２の状態がより安定に保たれる。
【００５３】
一端44が側方仕切本体２に固定され、他端45が車両床部42に固定される第４固定手段43を備えることで、側方仕切本体２の固定状態を安定させることができる。
【００５４】
尚、本発明は、本実施形態に限定されるものではなく、本発明の要旨の範囲内で種々の変形実施が可能である。例えば、第１〜第３固定手段13，23，33は、固定部材26がヘッドレスト62，72，82のステー63，73，83を巻くようにして固定するものであってもよい。また、側方仕切本体２の袋部66は、保持部材５が挿入できる構成であればよい。さらに、保持部材５を側方仕切本体２の上縁６に取付けられれば、接着剤で固定する等、袋部66以外の方法を用いてもよい。また、前方仕切本体３と側方仕切本体２とを取付ける取付手段４は、面ファスナやボタン等であってもよい。
【符号の説明】
【００５５】
１  座席用仕切具
２  側方仕切本体
３  前方仕切本体
４  取付手段
５  保形部材
６  上縁
10  第１取付位置
12  第２取付位置
13  第１固定手段
14  一端
15  他端
20  第３取付位置
22  第４取付位置
23  第２固定手段
24  一端
25  他端
26  固定部材
30  第５取付位置
32  第６取付位置
33  第３固定手段
34  一端
35  他端
42  車両床部
43  第４固定手段
44  一端
45  他端
60  第１座席
62  ヘッドレスト（第１車両内装部材）
70  第２座席
72  ヘッドレスト（第２車両内装部材）
80  第３座席
82  ヘッドレスト（第３車両内装部材）
【図１】
2018150000.tif 000003
【図２】
2018150000.tif 000004
【図３】
2018150000.tif 000005
【図４】
2018150000.tif 000006
【図５】
2018150000.tif 000007
【図６】
2018150000.tif 000008
【図７】
2018150000.tif 000009
【図８】
2018150000.tif 000010
【図９】
2018150000.tif 000011
【図１０】
2018150000.tif 000012
【図１１】
2018150000.tif 000013
【図１２】
2018150000.tif 000014